(57)【要約】      （修正有）【課題】携帯機、タブレット、各種充電器等が規格の既製品のＵＳＢ・携帯ケーブル等使用しなくても、直接、間接的に容易に充電通信が出来る器具として、対応しなされた携帯機、タブレット、各種充電器を提供する。【解決手段】充電、通信の為に、携帯電話、タブレット、各種充電器等の其々の機器本体にＵＳＢプラグ（オス）を設置（内蔵）する。又直接直結することに支障をきたす場合は、携帯機本体に装置（内蔵）してあるＵＳＢプラグ（オス）と既成品のＵＳＢケーブルのジャック（メス）を取り合い、そしてこの片方は、既成品のＵＳＢケーブルのプラグ（オス）を各種充電器又はパソコンのジャック（メス）に取り合う。【効果】携帯機、タブレット、各種充電器等のＵＳＢ・携帯ケーブルのジャック部（メス）の廃止と更に又規格の既製品のＵＳＢ・携帯ケーブル等を廃止できる。【選択図】図１
2017169180.tif 000002
【特許請求の範囲】
【請求項１】
（イ）充電、通信の為に、携帯（ＩＯＳ，アンドロイド）、タブレット、各種充電器等の機器本体にＵＳＢプラグ（オス）が設置された機器器具であります。場合によっては、ＵＳＢジャック（メス）が設置される場合もある。
（ロ）機器本体にＵＳＢプラグ（オス）が設置されることにより、従来の仕様の様に、其々の機器を規格の既製品のＵＳＢ・携帯ケーブルに繋ぐ方式ではありません。従って、請求項（イ）の機器器具を使用する場合は、充電、通信の為機器本体にＵＳＢプラグ（オス）が設置された機器器具であります。
（ハ）このＵＳＢプラグ（オス）は、携帯（ＩＯＳ，アンドロイド）、タブレット、各種充電器等の機器本体に、設置しますが、其々の機器の中に内蔵もできる仕様構造とされた機器であり、機器本体の内蔵にもＵＳＢプラグ（オス）が設置できる様にされた機器器具であります。
（ニ）請求項（ハ）の其々の機器の中の一部に、ＵＳＢプラグ（オス）を内蔵させる方式を取り入れる場合、使用する時は、ＵＳＢプラグ（オス）をスライドさせるような、装置を確保して、ＵＳＢプラグ（オス）の部分が機器内から機器外におし出される様な構造であり、ＵＳＢプラグ（オス）におし出された時に、しまいこまれていた前面フタが上側に、せりあがりＵＳＢプラグ（オス）が姿を現す仕様とする。又ＵＳＢプラグ（オス）を使用しない時は、逆方向にスライドさせることにより、ＵＳＢプラグ（オス）が機器内に納まると同時に、せりあがっていた前面フタが下に下がり、ＵＳＢプラグ（オス）の姿を隠す仕様とする事も出来る機器器具であります。
（ホ）充電、通信の為に、携帯（ＩＯＳ，アンドロイド）タブレット、充電器と各種の充電器又はパソコンと接続する場合、携帯機（ＩＯＳ，アンドロイド）タブレット、充電器等に設置（内蔵）してあるＵＳＢプラグ（オス）を各種充電器又はパソコンに直結することが最良ですが、直結することに支障をきたす場合は、携帯機本体に設置（内蔵）してあるＵＳＢプラグ（オス）と既成品のＵＳＢケーブルのジャック（メス）を取り合い、そしてこの片方は、既成品のＵＳＢケーブルのプラグ（オス）を各種充電器又はパソコンのジャック（メス）に取り合いする方式とすることも出来るようにされた、機器にＵＳＢプラグ（オス）を設置（内蔵）した機器器具であります。
（ヘ）請求項（ホ）の既製品のＵＳＢケーブルは原則としては、プラグ（オス）とジャック（メス）が一対のペアーとなるが、機器自体に設置された機器器具によっては、プラグ（オス）とプラグ（オス）が一対のペアー又ジャック（メス）とジャック（メス）が一対のペアーとなることもできるようにされた設置された機器器具であります。
（ト）携帯（ＩＯＳ，アンドロイド）、タブレット、各種充電器等の機器本体に設置（内蔵）されるＵＳＢプラグ（オス）の位置、場所、裏表、仕様方法内蔵等については、又スライドの規格、大きさ、仕様方法、位置、場所、裏表設置更に、前面フタ（しまいこまれていた、せりあがり）等の仕様方法については、限定しない。
【発明の詳細な説明】
【技術分野】
【０００１】この発明は、既存の携帯（ＩＯＳ，アンドロイド）、タブレット、各種充電器等の様に充電、通信の為に、其々の器具に規格のジャック部（メス）を設置し、そして、其々規格の既製品のＵＳＢ・携帯ケーブルを使用・接続する方式としないで、機器本体にＵＳＢプラグ（オス）を設置（内蔵）することにより、携帯機、タブレット、各種充電器等のＵＳＢ・携帯ケーブルのジャック部（メス）と且つ又規格の既製品のＵＳＢ・携帯ケーブル等を廃止して、機器を直接、間接的に容易にパソコン等に充電、通信する為の技術分野であります。
【背景技術】
【０００２】充電、通信の為に、従来の携帯（ＩＯＳ，アンドロイド）、タブレット、各種充電器等は、其々の様式仕様毎に、携帯機のジャック部（メス）の箇所に、規格の既製品のＵＳＢ・携帯ケーブルのプラグ（オス）を挿入して、もう片方のＵＳＢ・携帯ケーブルのプラグ（オス）を充電器、パソコン等のジャック（メス）に接続してきましたが、其々用途・機種に応じて千差万別数多くありました。
【発明が解決しようとする課題】
【０００３】これは次のような欠点があった。
例えば、既存の携帯（ＩＯＳ，アンドロイド）、タブレット、各種充電器等は、充電、通信の為に、其々規格の既製品のＵＳＢ・携帯ケーブルを使用して、既存の携帯（ＩＯＳ，アンドロイド）、タブレット、各種充電器のジャック部（メス）の箇所に、其々規格の既製品のＵＳＢ・携帯ケーブルのプラグ（オス）を挿入して、もう片方のＵＳＢ・携帯ケーブルのプラグ（オス）を充電器、パソコン等のジャック（メス）に接続してきましたが、携帯機、タブレット、各種充電器等のＵＳＢ・携帯ケーブルのジャック部（メス）の廃止と更に又、直接、間接的に容易に充電、通信するのが出来る携帯（ＩＯＳ，アンドロイド）、タブレット、各種充電器等はありませんでした。
本発明は、これらの欠点を無くす為に、携帯（ＩＯＳ，アンドロイド）、タブレット、各種充電器等が規格の既製品のＵＳＢ・携帯ケーブル等使用しなくても、直接、間接的に容易に充電通信が出来る器具として、対応しなされた携帯（ＩＯＳ，アンドロイド）、タブレット、各種充電器である。
【課題を解決する為の手段】
【０００４】充電、通信の為に、携帯（ＩＯＳ，アンドロイド）、タブレット、各種充電器等の其々の機器本体にＵＳＢプラグ（オス）を設置（内蔵）することによって、携帯機、タブレット、各種充電器等のＵＳＢ・携帯ケーブルのジャック部（メス）と且つ又規格の既製品のＵＳＢ・携帯ケーブル等を廃止できます。又直接直結することに支障をきたす場合は、携帯（ＩＯＳ，アンドロイド）、タブレット、各種充電器に設置（内蔵）してあるＵＳＢプラグ（オス）と既成品のＵＳＢケーブルのジャック（メス）を取り合い、そしてこの片方は、既成品のＵＳＢケーブルのプラグ（オス）を各種充電器又はパソコンのジャック（メス）に取り合いする事で課題は、解決されます。
【発明の効果】
【０００５】これによって、其々の携帯機（ＩＯＳ，アンドロイド携帯）、タブレット、各種充電器等）において、充電、通信の為に、携帯（ＩＯＳ，アンドロイド）、タブレット、各種充電器等は直接、間接的に容易に充電、通信するのがスムーズに出来る様になった。又規格の既製品のＵＳＢ・携帯ケーブルを使用しなくても、充電、通信が容易にできる様になり、面倒くさくなくて、経費も掛からなくて済むようになった。
【発明を実地する為の最良の形態】
【０００６】以下。本発明を実地する為の最良の形態について説明する。
携帯（ＩＯＳ，アンドロイド）、タブレット、各種充電器等の其々の機器本体にＵＳＢプラグ（オス）を設置（内蔵）してあれば、各種の充電器又はパソコンと接続する場合、携帯機（ＩＯＳ，アンドロイド）タブレット、充電器設置（内蔵）のＵＳＢプラグ（オス）を各種充電器又はパソコンに直結することが最良ですが、直結することに支障をきたす場合は、携帯機本体に装置（内蔵）してあるＵＳＢプラグ（オス）と既成品のＵＳＢケーブルのジャック（メス）を取り合い、そしてこの片方は、既成品のＵＳＢケーブルのプラグ（オス）を各種充電器又はパソコンのジャック（メス）に取り合いする方式をとれば、充電通信は、問題なくできます。これによりす初めて発明の機能を実地する事が可能であり、これが最良の形態である。
【図面の簡単な説明】
【０００７】
【図１】本発明の平面図と立面図、側面図である。
【図２】本発明のあいそめ図である。
【符号の説明】
【０００８】１    各種携帯機  （ＩＯＳ，アンドロイド）
２    タブレット
３    各種充電機
４    ＵＳＢケーブル
５    携帯ケーブル
６    携帯電話機、タブレット等へのＵＳＢプラグ（オス）取り付けとスライド
７    携帯電話機、ＩＯＳ型のジャック（メス）
８    携帯電話機、ＩＯＳ型のプラグ（オス）
９    携帯電話機、アンドロイド型（メス）
１０  携帯電話機、アンドロイド型（オス）
１１  前面フタの上下運動器具
１２  前面フタ（しまいこまれていた、せりあがり）
【図１】
2017169180.tif 000003
【図２】
2017169180.tif 000004